(57)【要約】【課題】  フィルムアンテナ上に形成されたアンテナの給電端子に接続するコネクタの、フィルムアンテナの上における位置決めを正確に行う。【解決手段】  透明フィルム１１の上に、少なくとも１つの円偏波用アンテナ素子１０とこのアンテナ素子１０に接続する給電端子１６、１７が形成され、この給電端子１６、１７にはアンテナ素子１０で受信した信号を外部に引き出すためのコネクタ２１が接続されるフィルムアンテナ２０において、フィルム１１上の給電素子１６、１７の周囲に、コネクタ２１の接続位置を示すマーク１を施したフィルムアンテナ２０である。マーク１は、アンテナ素子１０及び給電端子１６、１７と同じ導電性材料で、アンテナ素子１０のフィルムアンテナ２０への形成工程において形成される。マーク１は、破線又は点線２、或いは透明フィルム１１に穿設した小孔でも形成することができる。【選択図】      図３
2006013696.tif 000002
【特許請求の範囲】
【請求項１】
誘電体フィルム上に、少なくとも１つのアンテナ素子と、このアンテナ素子に接続する給電端子が形成され、この給電端子には前記アンテナ素子で受信した信号を外部に引き出すためのコネクタが接続されるフィルムアンテナにおいて、
前記フィルム上の前記給電素子の周囲に、前記コネクタの接続位置を示すマークが施されていることを特徴とするフィルムアンテナ。
【請求項２】
請求項１に記載のフィルムアンテナであって、前記マークが前記アンテナ素子及び給電端子を構成する導電性部材と同じ導電性部材で、前記アンテナ素子及び給電端子の形成時に形成されることを特徴とするフィルムアンテナ。
【請求項３】
請求項２に記載のフィルムアンテナであって、前記導電性部材が導電性インク又は導体箔であることを特徴とするフィルムアンテナ。
【請求項４】
請求項２又は３に記載のフィルムアンテナであって、前記マークが短い線、又は短い線の集合体で構成されていることを特徴とするフィルムアンテナ。
【請求項５】
請求項４に記載のフィルムアンテナであって、前記短い線の集合体が、前記コネクタが前記給電端子に正しく接続されると、前記コネクタの外形を囲む位置に等しく露出して視認できる状態で配置されていることを特徴とするフィルムアンテナ。
【請求項６】
請求項４に記載のフィルムアンテナであって、前記短い線の集合体が、前記コネクタが前記給電端子に正しく接続されると、前記コネクタの外形によって全て隠れ、前記コネクタが前記給電端子に対してずれて接続されると、その一部が前記コネクタの外形からはみ出して視認されるように配置されていることを特徴とするフィルムアンテナ。
【請求項７】
請求項１に記載のフィルムアンテナであって、前記マークが前記フィルム上に穿設された複数の小孔から構成されることを特徴とするフィルムアンテナ。
【請求項８】
請求項７に記載のフィルムアンテナであって、前記複数の小孔が、前記コネクタが前記給電端子に正しく接続されると、前記コネクタの外形を囲む位置に等しく露出して視認できる状態で穿設されていることを特徴とするフィルムアンテナ。
【請求項９】
請求項７に記載のフィルムアンテナであって、前記複数の小孔が、前記コネクタが前記給電端子に正しく接続されると、前記コネクタの外形によって全て隠れ、前記コネクタが前記給電端子に対してずれて接続されると、その一部が前記コネクタの外形からはみ出して視認されるように配置されていることを特徴とするフィルムアンテナ。
【請求項１０】
誘電体フィルム上に、保護膜で被覆された少なくとも１つのアンテナ素子と、このアンテナ素子に接続し、電極部が露出する給電端子が形成され、この給電端子には保護シートが取り外し可能に仮接着されており、前記保護シートを剥がした後に、前記アンテナ素子で受信した信号を外部に引き出すためのコネクタを、前記給電端子に接続するように構成されたフィルムアンテナにおいて、
前記保護シートに、前記コネクタの位置合わせ用の切り抜き部を設け、
前記保護シートの前記フィルム上への仮接着時に、前記切り抜き部を、前記コネクタの前記フィルム上への接続位置に対応させて、前記保護シートを前記フィルム上に仮接着したことを特徴とするフィルムアンテナ。
【請求項１１】
請求項１０に記載のフィルムアンテナであって、前記切り抜き部が、ミシン目によって前記保護シートから切り離されるようになっていることを特徴とするフィルムアンテナ。
【請求項１２】
請求項１０又は１１に記載のフィルムアンテナであって、前記保護シートが、前記コネクタを前記フィルム上に接続する際に、前記コネクタの位置決めガイドとなる程度の厚さを備えていることを特徴とするフィルムアンテナ。
【請求項１３】
請求項１から１２の何れか１項に記載のフィルムアンテナであって、前記フィルムが透明フィルムから構成されていることを特徴とするフィルムアンテナ。
【請求項１４】
請求項１から１３の何れか１項に記載のフィルムアンテナを用いたナビゲーション装置であって、
前記マークが示唆対象とするＧＰＳアンテナを含むフィルムアンテナと、
前記ＧＰＳアンテナの給電端子に接続されるコネクタを有するアンテナケーブルと、
前記アンテナケーブルに接続され、該アンテナケーブルを介して入力されるＧＰＳ衛星からの信号に基づき、位置を検出して経路案内を行うナビゲーション部とを備えることを特徴とするナビゲーション装置。
【発明の詳細な説明】
【技術分野】
【０００１】
本発明はフィルムアンテナ及びこのアンテナを用いたナビゲーション装置に関し、特に、自動車等の移動体の透明な窓ガラス等に貼り付けて使用されるフィルムアンテナ、及びこのアンテナを用いたナビゲーション装置に関する。
【背景技術】
【０００２】
近年、ナビゲーション装置の自動車等の車両（移動体）への搭載が進むにつれて、ＡＭラジオ用の中波（ＭＷ）、ＦＭラジオ用やテレビ用の超短波（ＶＨＦ）、及び極超短波（ＵＨＦ）等の電波を受信するアンテナに加えて、高周波帯のＧＰＳ（グローバル・ポジショニング・システム：全地球測位システム）用のアンテナ、或いは衛星ディジタル放送用の衛星電波やその再放射波（ギャップフィラー波）を受信するアンテナや、自動車電話や携帯電話等の電話用の電波を送受信するアンテナが、車両にとって必要となりつつある。更には、ＩＴＳ（高度道路交通システム）の一環として、高速道路や有料道路の料金を自動的に徴収するＥＴＣ（自動料金所システム）や、道路交通情報を提供するＶＩＣＳ（道路交通情報通信システム）の電波ビーコンに対しても電波の送受信を行うアンテナも必要となってきている。従って、近年の車両は、多くの種類の電波を受信、或いは送信するためのアンテナを搭載しなければならなくなってきている。
【０００３】
このような移動体が送受信すべき電波の中で、ＧＰＳ用の電波、衛星ディジタル放送用の衛星電波、或いは、ＥＴＣ用の電波には円偏波が使用されている。そして、従来の円偏波用アンテナにはパッチアンテナが多く利用されていた。このパッチアンテナとしては、セラミック等の誘電体基板の一面に平面状のアース導体を設置し、他方の面に放射導体を設置する構成が採用されることが多い。この種のパッチアンテナとして、自動車等の移動体の屋根に設置して使用される、ロープロファイル型のパッチアンテナが既に提案されている（例えば、特許文献１参照）。
【０００４】
この特許文献１等に開示されている形態のパッチアンテナは、基板を使用するためにアンテナの厚みが大きくなってしまい、薄型化が困難である。この形態のパッチアンテナは一般に、車両のインストルメントパネル上に設置されるために、見栄えを損なう虞があった。また、この形態のパッチアンテナが自動車のフロントガラス等に設置された場合、運転者の前方の視界を損なう問題もあった。
【０００５】
このような問題点に対して、円偏波用アンテナとして、本発明者らは、車両のフロントガラスに貼り付けられる透明な誘電体シートを使用したフィルムアンテナに、円偏波を受信するためのアンテナを組み込んだフィルムアンテナを既に提案した。このフィルムアンテナに組み込む円偏波用のアンテナとしては、ループアンテナやヘリカルアンテナ、或いはクロスダイポールアンテナ等がある。
【０００６】
このような円偏波用のアンテナを組み込んだフィルムアンテナでは、フィルム上に形成された円偏波用のアンテナの給電端子に、低雑音アンプを組み込んだコネクタを接続して円偏波用のアンテナで受信された信号を取り出し、これをＧＰＳ受信機が内蔵されたナビゲーション装置に導いている。
【０００７】
【特許文献１】特開２００２−１３５０４５号公報（図１，図２）
【発明の開示】
【発明が解決しようとする課題】
【０００８】
しかしながら、特に本発明者らが既に提案した円偏波用のアンテナのように、給電端子が複数個あるアンテナを組み込んだフィルムアンテナでは、コネクタにも対応する接続端子が複数個設けられているので、これらの接続端子をフィルム上の複数個のアンテナの給電端子に接続する際に、コネクタ側の複数個の接続端子がフィルム側の複数個のアンテナの給電端子に対して位置がずれて接続されることがある。そして、フィルム上の複数個のアンテナの給電端子とコネクタ側の複数個の接続端子とずれて接続されると、アンテナの受信感度が悪くなったり、アンテナで受信した信号が取り出せなくなって、ナビゲーション装置の性能が発揮できなくなるという問題があった。
【０００９】
そこで、本発明は、フィルム上にアンテナが組み込まれ、このアンテナの給電端子に、ナビゲーション装置にアンテナ信号を導くケーブルの先端に設けられたコネクタが接続するフィルムアンテナにおいて、コネクタを正確にアンテナの給電端子に接続することができるフィルムアンテナ、及びこのアンテナを用いたナビゲーション装置を提供することを目的としている。
【課題を解決するための手段】
【００１０】
前記目的を達成する本発明のフィルムアンテナは、以下の第１から第１４の形態をとることができる。
【００１１】
第１の形態は、誘電体フィルム上に、少なくとも１つのアンテナ素子と、このアンテナ素子に接続する給電端子が形成され、この給電端子にはアンテナ素子で受信した信号を外部に引き出すためのコネクタが接続されるフィルムアンテナにおいて、フィルム上の給電素子の周囲に、コネクタの接続位置を示すマークが施されていることを特徴とするフィルムアンテナである。
【００１２】
第２の形態は、第１の形態のフィルムアンテナにおいて、マークがアンテナ素子及び給電端子を構成する導電性部材と同じ導電性部材で、アンテナ素子及び給電端子の形成時に形成されることを特徴とするフィルムアンテナである。
【００１３】
第３の形態は、第１の形態のフィルムアンテナにおいて、導電性部材が導電性インク又は導体箔であることを特徴とするフィルムアンテナである。
【００１４】
第４の形態は、第２又は第３の形態のフィルムアンテナにおいて、マークが短い線、又は短い線の集合体で構成されていることを特徴とするフィルムアンテナである。
【００１５】
第５の形態は、第４の形態のフィルムアンテナにおいて、短い線の集合体が、コネクタが給電端子に正しく接続されると、コネクタの外形を囲む位置に等しく露出して視認できる状態で配置されていることを特徴とするフィルムアンテナである。
【００１６】
第６の形態は、第４の形態のフィルムアンテナにおいて、短い線の集合体が、コネクタが給電端子に正しく接続されると、コネクタの外形によって全て隠れ、コネクタが給電端子に対してずれて接続されると、その一部がコネクタの外形からはみ出して視認されるように配置されていることを特徴とするフィルムアンテナである。
【００１７】
第７の形態は、第１の形態のフィルムアンテナにおいて、マークがフィルム上に穿設された複数の小穴から構成されることを特徴とするフィルムアンテナである。
【００１８】
第８の形態は、第７の形態のフィルムアンテナにおいて、複数の小穴が、コネクタが給電端子に正しく接続されると、コネクタの外形を囲む位置に等しく露出して視認できる状態で穿設されていることを特徴とするフィルムアンテナである。
【００１９】
第９の形態は、第７の形態のフィルムアンテナにおいて、複数の小孔が、コネクタが給電端子に正しく接続されると、コネクタの外形によって全て隠れ、コネクタが給電端子に対してずれて接続されると、その一部がコネクタの外形からはみ出して視認されるように配置されていることを特徴とするフィルムアンテナである。
【００２０】
第１０の形態は、誘電体フィルム上に、保護膜で被覆された少なくとも１つのアンテナ素子と、このアンテナ素子に接続し、電極部が露出する給電端子が形成され、この給電端子には保護シートが取り外し可能に仮接着されており、保護シートを剥がした後に、アンテナ素子で受信した信号を外部に引き出すためのコネクタを、給電端子に接続するように構成されたフィルムアンテナにおいて、保護シートに、コネクタの位置合わせ用の切り抜き部を設け、保護シートのフィルム上への仮接着時に、切り抜き部をコネクタのフィルム上への接続位置に対応させて、保護シートをフィルム上に仮接着したことを特徴とするフィルムアンテナである。
【００２１】
第１１の形態は、第１０の形態のフィルムアンテナにおいて、切り抜き部が、ミシン目によって保護シートから切り離されるようになっていることを特徴とするフィルムアンテナである。
【００２２】
第１２の形態は、第１０又は第１１の形態のフィルムアンテナにおいて、保護シートが、コネクタをフィルム上に接続する際に、コネクタの位置決めガイドとなる程度の厚さを備えていることを特徴とするフィルムアンテナである。
【００２３】
第１３の形態は、第１から第１２の何れかのフィルムアンテナにおいて、フィルムが透明フィルムから構成されていることを特徴とするフィルムアンテナである。
【００２４】
第１４の形態は、第１から第１３の何れかの形態のフィルムアンテナを用いたナビゲーション装置であって、マークが示唆対象とするＧＰＳアンテナを含むフィルムアンテナと、ＧＰＳアンテナの給電端子に接続されるコネクタを有するアンテナケーブルと、アンテナケーブルに接続され、該アンテナケーブルを介して入力されるＧＰＳ衛星からの信号に基づき、位置を検出して経路案内を行うナビゲーション部とを備えることを特徴とするナビゲーション装置である。
【発明の効果】
【００２５】
本発明のフィルムアンテナの第１の形態によれば、フィルム上にアンテナが組み込まれ、このアンテナの給電端子に、ナビゲーション装置にアンテナ信号を導くケーブルの先端に設けられたコネクタが接続するフィルムアンテナにおいて、フィルム上のコネクタの接続位置を正確に示すマークを給電端子の周囲に施した事により、コネクタを正確にフィルム上の給電端子に接続することができる。
【００２６】
本発明のフィルムアンテナの第２の形態によれば、フィルム上にアンテナが組み込まれ、露出するアンテナ素子の端子部分に、保護シートが取り外し可能に仮接着されており、前記保護シートを剥がした後に、ナビゲーション装置にアンテナ信号を導くケーブルの先端に設けられたコネクタを接続するフィルムアンテナにおいて、保護シートにコネクタの位置合わせ用の切り抜き部を設け、保護シートのフィルム上への仮接着時に、この切り抜き部をコネクタのフィルム上への接続位置に対応させて保護シートをフィルム上に仮接着したので、切り抜き部を剥がした跡にコネクタを接続すれば、コネクタを正確にフィルム上の給電端子に接続することができる。
【００２７】
また、本発明のフィルムアンテナを用いたナビゲーション装置によれば、フィルム上のアンテナの給電端子の周囲に施したマークにより、ＧＰＳアンテナの給電端子にナビゲーション部に接続されるアンテナケーブルの先端部に設けられたコネクタが正確に接続されるので、該アンテナケーブルを介してＧＰＳ衛星からの信号が確実にナビゲーション部に入力されるので、位置を検出して経路案内を行うナビゲーション部の動作性能が損なわれない。
【発明を実施するための最良の形態】
【００２８】
以下添付図面を用いて本発明に係る実施の形態を具体的な実施例に基づいて詳細に説明する。なお、一般に、アンテナは電波の送信と受信の両方を行い得るものであるが、以下に示す実施例では、説明を簡単にするために、アンテナが電波を受信する場合についてのみ説明し、アンテナが電波を送信する場合についてはその説明を省略する。
【００２９】
図１は、本発明の一実施例のフィルムアンテナ及びこのフィルムアンテナを用いたナビゲーション装置の構成を示す回路図である。本発明のフィルムアンテナは、円偏波用アンテナ１０と２つのＴＶアンテナ１２，１３を備えた第１のフィルムアンテナ２０と、２つのＴＶアンテナ５１，５２を備えた第２のフィルムアンテナ５０から構成される。第１と第２のフィルムアンテナ２０、５０は、透明な誘電体フィルム（以後、単に透明フィルムという）１１、１４から構成される。
【００３０】
第１のフィルムアンテナ２０に設けられた円偏波用アンテナ１０は、コネクタ２１と同軸ケーブル２４を用いてナビゲーション装置８０に内蔵されたＧＰＳレシーバ８１に接続されている。この実施例では、コネクタ２１にアンプ２６が内蔵されており、円偏波用アンテナ１０で受信された電波は、アンプ２６で増幅されて出力される。
【００３１】
また、第１のフィルムアンテナ２０に設けられたＴＶアンテナ１２、１３は、コネクタ３１と図示しないケーブルと同軸ケーブル４９によってセレクタ／アンプ４０のセレクタ４７に接続されている。一方、第２のフィルムアンテナ５０に設けられた２つのＴＶアンテナ５１，５２は、それぞれコネクタ３１と図示しないケーブル２と同軸ケーブル４９によってセレクタ／アンプ４０のセレクタ４７に接続されている。セレクタ４７は、受信感度の高いＴＶアンテナ（ＴＶアンテナ１２、１３，５１，５２の何れか）を選択して、その出力がアンプ４８に出力されるようにＴＶアンテナを切り換える。この結果、ＴＶアンテナ１２、１３，５１，５２の何れか１つが、セレクタ／アンプ４０と同軸ケーブル５６を通じてナビゲーション装置８０に内蔵されたＴＶチューナ８２に接続される。ＴＶアンテナ１２、１３，５１，５２は、何れもＴＶ放送電波と、ＦＭ放送電波を受信することができる。
【００３２】
ナビゲーション装置８０には、ＧＰＳレシーバ８１、ＴＶチューナ８２の他に、地図情報を記憶するＣＤ、ＤＶＤ、或いはＨＤＤ等で構成されるの記憶媒体８３と、地図やＴＶを表示する表示器である液晶ディスプレイ８４、及び現在位置の計算や経路案内等を行う制御装置８５があり、内部バス８６で相互に接続されている。液晶ディスプレイ８４は、ナビゲーション装置８０に一体的に設けられることもあるが、別に独立して設けられることもある。
【００３３】
制御装置８５は、ナビゲーション装置８０がナビゲーションモードの時に、円偏波用アンテナ１０とＧＰＳレシーバ８１によって受信されたＧＰＳ衛星からの信号に基づいて現在位置を計算し、この現在位置に対応する地図を地図情報記憶媒体８３から読み出し、液晶ディスプレイ８４に地図を表示すると共にこの地図上に現在位置を表示する。また、制御装置８５は、目的地が入力されている場合には、この目的地までの経路を計算して地図上に表示することも行うことができる。更に、制御装置８５は、ナビゲーション装置８０がナビゲーションモードの時に、円偏波用アンテナ１０とＧＰＳレシーバ８１によって受信されたＧＰＳ衛星からの信号に基づいて現在位置を計算し、この現在位置に対応する地図を地図情報記憶媒体８３から読み出し、液晶ディスプレイ８４に地図を表示すると共にこの地図上に現在位置を表示する。ナビゲーション装置８０がテレビモードの時には、制御装置８５は、ＴＶアンテナ１２、１３、５１、５２の何れかとＴＶチューナ８２によってＴＶ放送を受信し、受信したＴＶ放送を、液晶ディスプレイ８４に表示する。
【００３４】
図２（ａ）は図１に示した第１と第２のフィルムアンテナ１０、５０、及びナビゲーション装置８０の自動車における設置位置を示すものである。第１と第２のフィルムアンテナ１０、５０は、自動車のフロントガラス６１の左右の上部にそれぞれ設置される。ナビゲーション装置８０は自動車のインストルメントパネルに内蔵されており、セレクタ／アンプ４０は助手席側の足元に内蔵されている。そして、第１と第２のフィルムアンテナ２０、５０からのケーブル２４，４９は自動車のＡピラーに沿って取り付けられてナビゲーション装置８０に直接接続されるか、或いはセレクタ／アンプ４０とケーブル２４、５６を通じてナビゲーション装置８０に接続される。
【００３５】
図２（ｂ）は、図１に示した第２のフィルムアンテナ５０の構成を詳細に示すものである。第２のフィルムアンテナ５０は、透明フィルム１４の上にテレビ電波を受信するための２つのＴＶアンテナ５１，５２を備えている。第２のフィルムアンテナ５０は、自動車のフロントガラスの内側に、両面テープを使用して設置される。
【００３６】
図２（ｂ）の状態は、第２のフィルムアンテナ５０を自動車の車室内側から見たものである。２つのＴＶアンテナ５１，５２は透明フィルム１４の周辺部に沿って設けられている。この実施例では、２つのＴＶアンテナ５１，５２が設けられていない部分の透明フィルム１４は切り取られて孔部５５となっている。更に、ＴＶアンテナ５１，５２を構成する線状導体の一方の端部には、それぞれアンテナ接続端子５３，５４が設けられている。アンテナ接続端子５３，５４は、この実施例では、透明フィルム１４の右上端部に設けられている。ＴＶアンテナ５１，５２及びアンテナ接続端子５３，５４は、導電性インク、或いは、銅箔等の導体箔によって形成される。
【００３７】
透明フィルム１４の上に形成されたＴＶアンテナ５１，５２の上には、ＴＶアンテナ５１、５２を保護するための保護膜が設けられる。一方、アンテナ接続端子５３，５４の上には保護膜が設けられない。これは、アンテナ接続端子５３，５４には、図１に示したコネクタ３１を介してケーブル４９が接続されるからである。アンテナ接続端子５３，５４によって受信した電波から得られる信号は、ケーブル４９を通じてＴＶチューナ８２に導かれる。
【００３８】
図３は、図１に示した第１のフィルムアンテナ２０の第１の形態の一実施例の構成、及び第１のフィルムアンテナ２０に接続するコネクタとケーブルの詳細を示すものである。第１のフィルムアンテナ２０は、透明フィルム１１の上にテレビ電波を受信するための２つのＴＶアンテナ１２，１３と、円偏波を受信するための１つのループ状の円偏波用アンテナ１０を備えている。この例の円偏波用アンテナ１０は右旋円偏波用アンテナであり、ループアンテナ１０Ａと無給電素子１０Ｂを備える。第１のフィルムアンテナ２０も、自動車のフロントガラスの内側に、両面テープを使用して設置される。
【００３９】
図３の状態は、第１のフィルムアンテナ２０を自動車の車室内側から見たものである。ＴＶアンテナ１２、１３は透明フィルム１１の周辺部に沿って設けられており、先端部が折り曲げられている。そして、ＴＶアンテナ１２、１３を構成する線状導体の一方の端部にはアンテナ接続端子１８、１９が設けられている。この実施例では、円偏波用アンテナ１０とＴＶアンテナ１２、１３が設けられていない部分の透明フィルム１１は切り取られて孔部１５となっている。この孔部１５は、円偏波用アンテナ１０が配置された透明フィルム１１Ａの部分を囲むように設けられており、円偏波用アンテナ１０が配置された透明フィルム１１Ａの部分が舌片状の舌片部１１Ａとなっている。更に、円偏波用アンテナ１０を構成するループアンテナ１０Ａの給電側の端部は、ランド状に形成されて給電端子１６，１７となっている。
【００４０】
アンテナ接続端子１８，１９は、この実施例では、円偏波用アンテナ１０の両側に設けられている。ループアンテナ１０Ａと無給電素子１０Ｂ、及びＴＶアンテナ１２，１３とアンテナ接続端子１８，１９は、導電性インク、或いは銅箔等の導体箔によって形成される。透明フィルム１１の上に形成されたループアンテナ１０Ａと無給電素子１０Ｂ、及びＴＶアンテナ１２，１３の上には保護用の保護膜が設けられる。しかし、給電端子１６，１７とアンテナ接続端子１８，１９の上には保護膜は設けられない。これは、給電端子１６，１７には、図１に示したコネクタ２１を介してケーブル２４が接続され、アンテナ接続端子１８，１９には、図１に示したコネクタ３１を介してケーブル４９が接続されるからである。
【００４１】
ここで、コネクタ２１とこれに接続するケーブル２４、及びコネクタ３１とこれに接続するケーブル４９について説明する。
【００４２】
まず、ＴＶアンテナ１２，１３のアンテナ接続端子１８，１９には、接続端子３２を備えたコネクタ３１が接続される。接続端子３２はバネ性を備えており、コネクタ３１のアンテナ接続端子１８，１９には両面接着テープが貼付されている。コネクタ３１の接続端子３２を備えた面の外形は、アンテナ接続端子１８，１９の外形とほぼ同じである。よって、コネクタ３1をアンテナ接続端子１８，１９に接続する際には、両面接着テープの剥離紙を剥がし、コネクタ３１がアンテナ接続端子１８，１９に重なるように、即ち、アンテナ接続端子１８，１９がコネクタ３１で隠れるように取り付ければ良い。
【００４３】
一方、同軸ケーブルであるケーブル４９は、実際にはその芯線４１が別の単芯ケーブル３３を介してコネクタ３１に接続されている。そして、同軸ケーブル４９のアース線４２は、別の単芯ケーブル４３によって自動車のボディ４４の一部に導かれ、このボディ４４に貼り付けられた金属箔４５にコネクタ４６で接続される。即ち、同軸ケーブル４９のアース線４２は、自動車のボディ４４に交流的にアースされる。
【００４４】
このように、ＴＶアンテナ１２，１３で受信した電波から得られる信号は、アンテナ接続端子１８，１９、コネクタ３１、ケーブル３３と、これに接続するケーブル４９によって、図示しないＴＶチューナに導かれる。
【００４５】
次に、コネクタ２１とこれに接続するケーブル２４について説明する。コネクタ２１には、円偏波用アンテナ１０の給電端子１６，１７にそれぞれ接続する接続端子２２，２３がある。２つの接続端子２２，２３は、この実施例ではバネ性を備えている。コネクタ２１の透明フィルム１１への接着は、例えば、両面接着テープで行えば良い。コネクタ２１の内部には、受信した信号を増幅する図１に示したアンプが搭載されている。コネクタ２１に接続するケーブル２４は同軸ケーブルである。円偏波用アンテナ１０で受信した電波は、給電端子１６，１７、コネクタ２１、及びケーブル２４を介して所定の受信機、例えば、ＧＰＳレシーバに導くことができる。
【００４６】
ところで、ＴＶアンテナ１２，１３のアンテナ接続端子１８，１９にコネクタ３１を接続する場合は、コネクタ３１がアンテナ接続端子１８，１９に重なるように、即ち、アンテナ接続端子１８，１９がコネクタ３１で隠れるように取り付ければ、アンテナ接続端子１８，１９にコネクタ３１の接続端子３２が確実に接続することができる。
【００４７】
ところが、円偏波用アンテナ１０の給電端子１６，１７にコネクタ２１を接続する場合は、給電端子１６，１７よりもコネクタ２１の外形の方が大きい。従って、従来は、給電端子１６，１７の上にコネクタ２１の接続端子２２、２３を正確に接続することが困難であった。そして、給電端子１６，１７に正しくコネクタ２１の接続端子２２、２３が接続されないと、円偏波用アンテナ１０の受信感度が低下し、ナビゲーション装置の性能が発揮できなかった。
【００４８】
そこで、本発明の第１のフィルムアンテナ２０の第１の形態では、図３に示すように、透明フィルム１１の円偏波用アンテナ１０の給電端子１６，１７の周囲に、コネクタ２１の接続位置を示すマーク１を形成している。このマーク１は、図３に示す実施例では、円偏波用アンテナ１０、ＴＶアンテナ１２、１３、給電端子１６，１７、及びアンテナ接続端子１８，１９と同じ材質でこれらと同時に形成されている。即ち、マーク１は、導電性インク、或いは銅箔等の導体箔で形成することができる。
【００４９】
また、この実施例では、マーク１は、破線又は点線２で構成されている。これは、マーク１を連続する直線で形成すると、この連続直線がアンテナの機能を備えることになり、円偏波用アンテナ１０の受信性能に影響を与えるからである。
【００５０】
図４（ａ）は、破線又は点線２で構成したマーク１の外形を、コネクタ２１の外形寸法と同じにした実施例を示すものである。この実施例では、両面接着テープの剥離紙を剥がした後に、図４（ｂ）に示すように、マーク１がコネクタ２１で隠れるようにコネクタ２１を透明フィルム１１の上に貼り付ければ、透明フィルム１１の上の給電端子１６，１７に、コネクタ２１の接続端子２２、２３を正確に接続することができる。
【００５１】
図５は、マーク１を鉤括弧３で形成した実施例を示すものである。鉤括弧３は、コネクタ２１の四隅部分を示す位置に、コネクタ２１で隠れるように、或いは、コネクタ２１の外形よりも僅かに大きい外形の位置に形成すれば良い。マーク１の形状は、この鉤括弧３に限定されるものではない。
【００５２】
図６は、マーク１を破線又は点線２で形成した別の実施例を示すものである。図４（ａ）に示す実施例では、マーク１の外形をコネクタ２１の外形と同じに形成したが、図６に示す実施例では、マーク１の外形をコネクタ２１の外形より僅かに大きく形成している。この場合は、この図に示すように、マーク１がコネクタ２１の外側に偏り無く、はみ出して見えるようにコネクタ２１を透明フィルム１１の上に貼り付ければ、透明フィルム１１の上の給電端子１６，１７に、コネクタ２１の接続端子２２、２３を正確に接続することができる。
【００５３】
図７（ａ）は、マーク１を透明フィルム１１の上に穿設した複数個の小孔４で形成した別の実施例を示すものである。この実施例では、小孔４で形成したマーク１の外形を、コネクタ２１の外形寸法と同じにしてある。従って、この実施例では、両面接着テープの剥離紙を剥がした後に、マーク１がコネクタ２１で隠れるように、コネクタ２１を透明フィルム１１の上に貼り付ければ、図４（ｂ）と同じ状態となり、透明フィルム１１の上の給電端子１６，１７に、コネクタ２１の接続端子２２、２３を正確に接続することが可能になる。
【００５４】
一方、図７（ｂ）は、マーク１を透明フィルム１１の上に穿設した複数個の小孔４で形成した図７（ａ）の実施例の変形例を示すものである。この実施例では、小孔４で形成したマーク１の外形を、コネクタ２１の外形より僅かに大きく形成している。この場合は、この図に示すように、小孔４がコネクタ２１の外側に接した状態で、はみ出して見えるようにコネクタ２１を透明フィルム１１の上に貼り付ければ、透明フィルム１１の上の給電端子１６，１７に、コネクタ２１の接続端子２２、２３を正確に接続することができる。
【００５５】
図８（ａ）〜（ｃ）は、本発明の第１のフィルムアンテナ２０の第２の形態の構成を示すものである。第１のフィルムアンテナ２０の第２の形態は、図３に示した第１のフィルムアンテナ２０の第１の形態と同様に、透明フィルム１１の中央部に設けられた孔部１５の周囲に、テレビ電波を受信するための２つのＴＶアンテナ１２，１３、円偏波を受信するためのループ状の円偏波用アンテナ１０、ＴＶアンテナ１２、１３にそれぞれ接続するアンテナ接続端子１８、１９、及び円偏波用アンテナ１０の給電端子１６，１７が設けられている。第１のフィルムアンテナ２０の第２の形態が、第１の形態と異なる点は、給電端子１６，１７の周囲にマーク１が施されていない点である。
【００５６】
前述のように、透明フィルム１１の上に、導電性インク、或いは、銅箔等の導体箔によって形成される給電端子１６，１７とアンテナ接続端子１８，１９の上には保護膜は設けられず、導電部分が露出している。そこで、フィルムアンテナ２０、及び５０の端子露出部分には、図８（ａ）に示す第１のフィルムアンテナ２０のように、端子露出部分を覆う保護シート５が取り外し可能に仮接着されている。保護シート５は、第１のフィルムアンテナ２０にコネクタ２１、３１を接続する際に剥がされる。この保護シート５は、透明フィルム１１の上への仮接着時に、治具を使用することにより、透明フィルム１１の上に正確に位置決めして貼り付けることができる。
【００５７】
本発明者らはこの点に着目し、第１のフィルムアンテナ２０の第２の形態では、図８（ｂ）に示すように、この保護シート５の透明フィルム１１の給電端子１６、１７に対向する部分に、コネクタの正しい取り付け位置を示す切り抜き部６を設けている。この切り抜き部６は、ミシン目７により、保護シート５から独立に取り外せるようにしてある。また、この切り抜き部６を設けた位置の保護シート５の幅方向には、保護シート５を左右に二分割できる破線で示す別のミシン目８、又は実線で示す切れ目２８の何れかが設られている。これは透明フィルム１１の上にコネクタが取り付けられた後、保護シート５を透明フィルム１１から取り外すために必要なものである。切り抜き部６の外形は、コネクタ２１の外形と同じ、或いはコネクタ２１の外形より僅かに大きくすれば良い。
【００５８】
第１のフィルムアンテナ２０の第２の形態では、透明フィルム１１にコネクタ２１を接続する際には、保護シート５を透明フィルム１１から剥がす前に、図８（ｃ）に示すように、切り抜き部６を保護シート５から取り外す。そして、切り抜き部６が取り去られた後の穴にコネクタ２１を嵌め合わせて、コネクタ２１を透明フィルム１１の上に貼り付ける。この時、コネクタ２１が保護シート５の上に乗り上げないようにする。そうすることにより、コネクタ２１の接続端子２２、２３が、給電端子１６、１７に正しく接続される。次に、残っている保護シート５を透明フィルム１１から剥がす。この剥がす際に、ミシン目８が設けられている場合にはこのミシン目８を切断して保護シート５を二分割すれば、保護シート５を容易に透明フィルム１１から取り去ることができる。また、切れ目２８が設けられている場合には、この切れ目２８の部分にコネクタ、或いはコネクタに接続する同軸ケーブルを通すことにより、保護シート５を容易に透明フィルム１１から取り去ることができる。この後、露出したアンテナ接続端子１８、１９にコネクタ３１を、図３に示すようにそれぞれ取り付ければ良い。
【００５９】
図９は前述の保護シート５の変形例の保護シート５Ａの構成を示すものである。図８（ａ）から（ｃ）に示した保護シート５は、ビニールテープのような粘着テープであり、保護シート５自体には厚さは殆ど無く、切り抜き部６を取り去った後の穴にコネクタ２１を嵌め合わせる時には、保護シート５の穴部が前述の第１のフィルムアンテナ２０の第１の形態にあるマーク１と同じような機能しかなかった。一方、図９に示す保護シート５Ａは、例えば、１ｍｍ程度の所定の厚さを持つ柔軟な部材で構成している。そして、前述の実施例と同様に、保護シート５Ａの透明フィルム１１の給電端子１６、１７に対向する部分に、コネクタ２１の正しい取り付け位置を示す切り抜き部６Ａを設けている。保護シート５Ａは厚みがあるので、切り抜き部６Ａは保護シート５Ａにミシン目ではなく、切り込みを行うことによって設けることができる。切り抜き部６Ａに設けられた舌状部６Ｄは、コネクタ２１が透明フィルム１１に取り付けられた時に、同軸ケーブル２４を受け入れる凹部を透明フィルム１１の上に作るためのものである。
【００６０】
この変形例においては、透明フィルム１１に貼り付けられた状態の保護シート５Ａから切り抜き部６を取り去ると、残った穴６Ｂの周囲には段差が現れる。従って、この穴６Ｂにコネクタ２１を嵌め合わせる時には、この段差がガイドとなるので、コネクタ２１の透明フィルム１１への貼り付けが非常に簡単になる。
【００６１】
また、厚さのある保護シート５Ａの変形例として、図１０（ａ）に示すように、保護シート５Ａに、切り込み９によって切り抜き部６Ａとガイド部６Ｃを設けるようにすることも可能である。この変形例では、透明フィルム１１に貼り付けられた状態の保護シート５Ａから切り抜き部６を取り去った後に、ガイド部６Ｃのみを残して本体部を取り去る。すると、透明フィルム１１の上にはガイド部６Ｃのみが残る。このガイド部６Ｃは前述の厚さを有しているので、このガイド部６Ｃに突き当ててコネクタ２１を透明フィルム１１の上に取り付ければ、コネクタ２１の透明フィルム１１への貼り付けが非常に簡単になる。
【００６２】
本発明の第１と第２のフィルムアンテナ２０、５０は、自動車のフロントウインドウやリヤウインドウ、或いはサイドウインドウ等に、その裏面側から貼り付けて設けることができ、ナビゲーション装置のアンテナとして有効に使用することができる。
【００６３】
また、以上説明した実施例では、第１のフィルムアンテナ２０の上に、１つの円偏波用アンテナ１０のみが形成されている場合を説明したが、第１のフィルムアンテナ２０の上に、この他にも給電端子を備えた円偏波用アンテナが１つ以上設けられていても、本発明を有効に適用することができる。更に、本発明は、前述の円偏波用のアンテナのみに適用が限られるものではなく、フィルム上に接続するコネクタの位置決め精度が要求される、複数の給電端子を備えた他のアンテナに対しても有効に適用することができる。更にまた、フィルム上に給電端子が１つしかない場合でも、給電端子の大きさをコネクタと同程度まで大きくできないような場合で、フィルム上に接続するコネクタに位置決め精度が要求されるような場合にも、本発明は有効に適用することができる。
【図面の簡単な説明】
【００６４】
【図１】本発明のフィルムアンテナとこれに接続するナビゲーション装置の構成の一実施例を示す回路図である。
【図２】（ａ）はフィルムアンテナを自動車のフロントガラスに設置した場合の、ナビゲーション装置との接続を示す自動車の車室内前方の斜視図で、（ｂ）は（ａ）の一方のフィルムアンテナの構成を詳細に示す平面図である。
【図３】図２（ａ）の他方のフィルムアンテナの構成の一例を示す平面図、及びこれに接続するケーブルを説明する図である。
【図４】（ａ）は図３に示すフィルムアンテナへのコネクタの取り付け前の状態を示す説明図、（ｂ）は（ａ）に示すフィルムアンテナへのコネクタの取り付け後の状態を示す説明図である。
【図５】第１の形態のフィルムアンテナの変形例を示すフィルムアンテナの部分拡大図である。
【図６】第１の形態のフィルムアンテナの変形例を示すフィルムアンテナの部分拡大図である。
【図７】（ａ）、（ｂ）はそれぞれ第１の形態の第１のフィルムアンテナの変形例を示す部分拡大図である。
【図８】（ａ）は第２の形態の第１のフィルムアンテナの変形例を示す斜視図、（ｂ）は（ａ）に示した保護シートの拡大図、（ｃ）は（ａ）の切り抜き部を保護シートから取り去る状態を説明する図である。
【図９】第２の形態の保護シートの変形例の構成を示す部分拡大斜視図である。
【図１０】（ａ）は第２の形態の保護シートの変形例の構成を示す平面図、（ｂ）は（ａ）からガイド部のみを残して保護シートを取り去った状態を示す部分拡大平面図である。
【符号の説明】
【００６５】
１    マーク
５    保護シート
６    切り抜き部
１０    円偏波用アンテナ
１１、１４    透明フィルム
１２、１３、５１、５２    ＴＶアンテナ
１６、１７    給電端子
１８、１９    アンテナ接続端子
２０    第１のフィルムアンテナ
２１    コネクタ
２２、２３    接続端子
３１    コネクタ
５０    第２のフィルムアンテナ
５１，５２    ＴＶアンテナ
５３、５４    アンテナ接続端子
８０    ナビゲーション装置
【図１】
2006013696.tif 000003
【図２】
2006013696.tif 000004
【図３】
2006013696.tif 000005
【図４】
2006013696.tif 000006
【図５】
2006013696.tif 000007
【図６】
2006013696.tif 000008
【図７】
2006013696.tif 000009
【図８】
2006013696.tif 000010
【図９】
2006013696.tif 000011
【図１０】
2006013696.tif 000012